(57)【特許請求の範囲】
【請求項１】
人が着用する上衣であって、
水に浮かぶ比重を有する浮体と、
防弾プレートを収容する収容部と、を備え、
前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、
前記上衣は、前身頃と、後身頃と、を備え、
前記浮体は、前記前身頃及び前記後身頃に設けられた固定式の浮体であり、
前記前身頃には、前記上衣を着た状態の着用者が、とりたい水中姿勢に適した浮力の作用位置となるように上下方向に移動させることが可能な、移動式の浮体がさらに設けられている、
ことを特徴とする上衣。
【請求項２】
前記移動式の浮体を引き上げるための引上用の第１ストラップと、
前記移動式の浮体を引き下げるための引下用の第２ストラップと、を備える、
ことを特徴とする請求項１に記載の上衣。
【請求項３】
人が着用する上衣であって、
水に浮かぶ比重を有する浮体と、
防弾プレートを収容する収容部と、を備え、
前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、
前記上衣は、前身頃と、後身頃と、を備え、
前記前身頃は、前記上衣の着用者が上下方向に移動させることが可能な第２の浮体を備え、
前記第２の浮体を引き上げるための引上用の第１ストラップと、
前記第２の浮体を引き下げるための引下用の第２ストラップと、を備える、
ことを特徴とする上衣。
【請求項４】
人が着用する上衣であって、
水に浮かぶ比重を有する浮体と、
防弾プレートを収容する収容部と、を備え、
前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、
前記上衣は、前身頃と、後身頃と、を備え、
前記前身頃は、前記上衣の着用者が上下方向に移動させることが可能な第２の浮体を備え、
前記第２の浮体は、
前記前身頃の内部に収容されており、
空気を収容するための気室と、
吹き込まれた空気を前記気室まで導く通気管と、
前記気室に取り付けられて該気室と前記第２の浮体との間に介在し、前記第２の浮体の引き上げ及び引下げの際に引掛りを抑制する引掛り抑制体を有する、
ことを特徴とする上衣。
【請求項５】
前身頃と後身頃とを備え、人が着用する上衣であって、
前記前身頃は、水に浮かぶ比重を有する浮体を備え、
前記浮体は、固定式の浮体と、前記上衣を着た状態の着用者がとりたい水中姿勢に適した浮力の作用位置となるように上下方向に移動させることが可能な移動式の浮体とを有する、
ことを特徴とする上衣。
【発明の詳細な説明】
【技術分野】
【０００１】
本発明は、人が着用する上衣に関する。
【背景技術】
【０００２】
人が着用する上衣に関しては種々のものが開発され、実用化されている。
【０００３】
例えば、特許文献１には、防弾プレート層と３次元網状弾性体の積層構造を有する防護衣が開示されている。この防護衣においては、３次元網状弾性体が防弾プレート層よりも人体側に配されている。これにより、着用しても動きやすい防護衣を提供することができる。
【先行技術文献】
【特許文献】
【０００４】
【特許文献１】特開２００９−６８８３２号公報
【発明の概要】
【発明が解決しようとする課題】
【０００５】
特許文献１に記載の防護衣においては、陸上で活動する防護衣着用者の動きやすさを確保することができる反面、水中においては、防護衣の重量によって水中での動きが困難となる場合があった。
【０００６】
本発明は、このような問題点に着目してなされたもので、水中での動作を容易に行うことができる上衣を提供することを目的とする。
【課題を解決するための手段】
【０００７】
上記目的を達成するため、本願の第１の観点に係る上衣は、人が着用する上衣であって、水に浮かぶ比重を有する浮体（例えば、固定式浮体１７、２７）と、防弾プレートを収容する収容部と、を備え、前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、前記上衣は、前身頃と、後身頃と、を備え、前記浮体は、前記前身頃及び前記後身頃に設けられた固定式の浮体であり、前記前身頃には、前記上衣を着た状態の着用者が、とりたい水中姿勢に適した浮力の作用位置となるように上下方向に移動させることが可能な、移動式の浮体（例えば、移動式浮体４０）がさらに設けられている、ことを特徴とする。
【０００８】
前記移動式の浮体を引き上げるための引上用の第１ストラップ（例えば、引上用ストラップ４４）と、前記移動式の浮体を引き下げるための引下用の第２ストラップ（例えば、引下用ストラップ４５）と、を備えてもよい。
【０００９】
上記目的を達成するため、本願の第２の観点に係る上衣は、人が着用する上衣であって、水に浮かぶ比重を有する浮体（例えば、固定式浮体１７、２７）と、防弾プレートを収容する収容部と、を備え、前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、前記上衣は、前身頃と、後身頃と、を備え、前記前身頃は、前記上衣の着用者が上下方向に移動させることが可能な第２の浮体（例えば、移動式浮体４０）を備え、前記第２の浮体を引き上げるための引上用の第１ストラップ（例えば、引上用ストラップ４４）と、前記第２の浮体を引き下げるための引下用の第２ストラップ（例えば、引下用ストラップ４５）と、を備える、ことを特徴とする。
【００１０】
上記目的を達成するため、本願の第３の観点に係る上衣は、人が着用する上衣であって、水に浮かぶ比重を有する浮体（例えば、固定式浮体１７、２７）と、防弾プレートを収容する収容部と、を備え、前記浮体は、前記防弾プレートを前記収容部に収容した前記上衣に作用する重力と当該上衣に作用する浮力とを釣り合わせる比重を有するか、又は、前記防弾プレート及び当該浮体の組み合せに作用する重力と当該組み合せに作用する浮力とを釣り合わせる比重を有し、前記上衣は、前身頃と、後身頃と、を備え、前記前身頃は、前記上衣の着用者が上下方向に移動させることが可能な第２の浮体（例えば、移動式浮体４０）を備え、前記第２の浮体は、前記前身頃の内部に収容されており、空気を収容するための気室（例えば、気室袋４１）と、吹き込まれた空気を前記気室まで導く通気管（例えば、通気管４２）と、前記気室に取り付けられて該気室と前記第２の浮体との間に介在し、前記第２の浮体の引き上げ及び引下げの際に引掛りを抑制する引掛り抑制体（例えば、基布４３）を有する、ことを特徴とする。
【００１１】
上記目的を達成するため、本願の第４の観点に係る上衣は、前身頃と後身頃とを備え、人が着用する上衣であって、前記前身頃は、水に浮かぶ比重を有する浮体（例えば、固定式浮体１７、２７、移動式浮体４０）を備え、前記浮体は、固定式の浮体（例えば、固定式浮体１７、２７）と、前記上衣を着た状態の着用者がとりたい水中姿勢に適した浮力の作用位置となるように上下方向に移動させることが可能な移動式の浮体（例えば、移動式浮体４０）とを有する、ことを特徴とする。
【発明の効果】
【００１２】
本発明によれば、水中での動作を容易に行うことができる上衣を提供することができる。
【図面の簡単な説明】
【００１３】
【図１】本発明の実施形態に係る上衣の斜視図。
【図２】本発明の実施形態に係る上衣の展開図。
【図３】本発明の実施形態に係る上衣の断面図であり、（ａ）は図２中の矢視ＩＩＩａ−ＩＩＩａからみた断面図、（ｂ）は図２中の矢視ＩＩＩｂ−ＩＩＩｂからみた断面図である。
【図４】本発明の実施形態に係る上衣に設けられた移動式浮体を示す図であり、（ａ）は後方からみた図、（ｂ）は前方からみた図。
【図５】本発明の実施形態に係る上衣の図であり、図２中の矢視Ｖ−Ｖからみた図。
【図６】本発明の実施形態に係る上衣に設けられた移動式浮体の使用状況を示した図であり、（ａ）は移動式浮体が前身頃の下部に位置した状況を示した図、（ｂ）は移動式浮体が前身頃の上部に位置した状況を示した図である。
【発明を実施するための形態】
【００１４】
以下、本発明の実施形態に係る上衣について、図面を参照しながら説明する。図１は、本発明の実施形態に係る上衣の斜視図である。また、図２は、本発明の実施形態に係る上衣の展開図である。なお、以下の説明においては、図１に示すように、上衣１を着用した着用者からからみた前後方向、左右方向、及び上下方向を、そのまま上衣１の方向として用いるものとする。なお、本発明の実施形態に係る上衣１は、例えば、島嶼部において上陸戦闘するにあたり、着用者を防護するための防弾機能を有するとともに、水中において上衣の重量を軽減して着用者の水中での泳ぎを容易なものとする。
【００１５】
図１に示すように、本発明の実施形態に係る上衣１は、前身頃１０及び後身頃２０が、種々のストラップ等を介して接続されることにより概略構成されている。
【００１６】
前身頃１０には、その上部に肩ストラップ１１、１２が取り付けられているとともに、左右の側部に脇ストラップ１３、１４が取り付けられている。前身頃１０は、着用者の首、及び両腕を通す箇所がえぐれた形状をなしており、これにより、首及び両腕が容易に動かせるようになっている。
【００１７】
後身頃２０には、その上部に肩ストラップ２１、２２が取り付けられているとともに、左右の側部に脇ストラップ２３、２４が取り付けられている。後身頃２０も、同様に、着用者の首、及び両腕を通す箇所がえぐれた形状をなしており、これにより、首及び両腕が容易に動かせるようになっている。
【００１８】
前身頃１０に取り付けられた肩ストラップ１１と、後身頃２０に取り付けられた肩ストラップ２１とは、アジャスタ付連結具３１によって連結されている。また、前身頃１０に取り付けられた肩ストラップ１２と、後身頃２０に取り付けられた肩ストラップ２２とは、アジャスタ付連結具３２によって連結されている。
【００１９】
また、図２に示すように、脇ストラップ１３に取り付けられたオス型連結具３３ｂと、脇ストラップ２３に取り付けられたメス型連結具３３ａとが連結されることで、脇ストラップ１３と脇ストラップ２３とがアジャスタ付連結具３３（メス型連結具３３ａ及びオス型連結具３３ｂ）によって連結される。同様に、脇ストラップ１４に取り付けられたオス型連結具３４ｂと、脇ストラップ２４に取り付けられたメス型連結具３４ａとが接続されることで、脇ストラップ１４と脇ストラップ２４とがアジャスタ付連結具３４（メス型連結具３４ａ及びオス型連結具３４ｂ）によって連結される。
【００２０】
このように、前身頃１０と後身頃２０とが、アジャスタ付連結具３１、３２、３３、３４を介して接続されることにより、上衣１を、首や両腕を通し得る、着用可能な状態とすることができるとともに、各ストラップ１１、１２、１３、１４、２１、２２、２３、２４の長さを調整することで着用者の体格に合わせた上衣１を提供することができる。このように、前身頃１０と後身頃２０とが接続された上衣１は、袖のないベスト状の上衣を構成する。
【００２１】
図３は、本発明の実施形態に係る上衣の断面図であり、（ａ）は図２中の矢視ＩＩＩａ−ＩＩＩａからみた断面図、（ｂ）は図２中の矢視ＩＩＩｂ−ＩＩＩｂからみた断面図である。図４は、本発明の実施形態に係る上衣に設けられた移動式浮体を示す図であり、（ａ）は後方からみた図、（ｂ）は前方からみた図である。
【００２２】
前身頃１０は、図３（ａ）に示すように、前方から、外面布５１、プレート収容布５２、浮体収容布５４、及び内面布５５が、これらの順に積層されており、前身頃１０の左右側面には、側面布５３が設けられている。外面布５１とプレート収容布５２との間には防弾プレート１６が収容されている。また、プレート収容布５２と浮体収容布５４との間には移動式浮体４０が収容されている。また、プレート収容布５４と内面布５５との間には固定式浮体１７が収容されている。これにより、前身頃１０の内部には、前方から防弾プレート１６、移動式浮体４０、固定式浮体１７の順に設けられている。
【００２３】
防弾プレート１６は、例えば、セラミック製であり、前身頃１０の形状に沿うように、正面視して８角形の形状に形成されている。防弾プレート１６は、銃から発射された弾丸の侵入を阻止する。なお、防弾プレート１６の材質としては、セラミック製のものに限定されず、例えば、アラミド繊維や強化ポリエチレン繊維等を接着樹脂等で結合することで形成してもよい。このように、防弾プレート１６が収容された上衣１は、いわゆる防弾衣として機能する。
【００２４】
図４に示すように、移動式浮体４０は、気室袋４１と、気室袋４１の内部に連通した通気管４２と、気室袋４１に縫い付けられた基布４３と、基布４３に縫い付けられた引上用ストラップ４４及び引下用ストラップ４５とから構成されている。
【００２５】
気室袋４１は、通気管４２を介して空気が吹き込まれて、気室４１ａ（図３（ａ））に空気を収容する。これにより、気室袋４１は膨張する。
【００２６】
通気管４２は、気室袋４１の内部にまで連通し、先端には息を吹き込むための吹込口４２ａが形成されている。着用者は、吹込口４２ａから息を吹き込むことにより、気室袋４１に空気を注入することができる。また、通気管４２の途中には、逆止弁４２ｂが設けられている。この逆止弁４２ｂにより、気室袋４１に注入された空気の外部への流出を防止することができる。なお、通気管４２に設けられたキャップ（不図示）を押圧し、逆止弁４２ｂを押し上げることにより、気室袋４１の内部に注入された空気を外部へ排出することができる。
【００２７】
基布４３は、気室袋４１に縫い付けられた布体から構成されている。基布４３には、移動式浮体４０を上下方向に移動させることが可能な引上用ストラップ４４及び引下用ストラップ４５が取り付けられている。基布４３は、気室袋４１の膨張によっても大きく変形することがなく、引上用ストラップ４４及び引下用ストラップ４５に作用する引張力に十分に耐え得るだけの、十分な強度（厚み）を有する布体から構成されている。引上用ストラップ４４は、一端が基布４３に縫い付けられた紐体である。また、引下用ストラップ４５は、両端が基布４３に縫い付けられた紐体である。引下用ストラップ４５は、上衣１の着用者が起立状態にある場合には、略Ｕの字状に垂れ下がった状態となる。なお、移動式浮体４０の使用方法については後述する。
【００２８】
固定式浮体１７は、例えば、発泡ポリエチレンから形成されており、水中において浮力を作用させる。固定式浮体１７は、上述したように、前身頃１０の浮体収容布５４と内面布５５との間に収納されており、前身頃１０に対して移動させることはできない。
【００２９】
後身頃２０は、図３（ｂ）に示すように、前方から、外面布５６、プレート収容布５７、浮体収容布５９、及び内面布６０が、これらの順に積層されており、前身頃１０の左右側面には、側面布５８が設けられている。外面布５６とプレート収容布５７との間には防弾プレート２６が収容されている。また、プレート収容布５９と内面布５５との間には固定式浮体２７が収容されている。一方、後身頃２０には、前身頃１０に挿入される移動式浮体４０は設けられていない。このように、後身頃２０の内部には、後方（外側）から防弾プレート２６、固定式浮体２７の順に設けられている。なお、防弾プレート２６及び固定式浮体２７は、前身頃２０に設けられているものと同様であるため、その詳細については説明を省略する。
【００３０】
なお、前身頃１０の側面布５３、及び後身頃２０の側面布５８は、メッシュ加工が施されており、その表面には複数の孔（不図示）が形成されている。これにより、着用者が水中から出た際、前身頃１０及び後身頃２０内の水を速やかに排出することができる。例えば、海や河川等から島嶼部に上陸した際、速やかに上衣１内の水を排出することができるため、上陸後の行動に支障を生じさせにくくすることができる。
【００３１】
図３（ａ）、（ｂ）に示すように、前身頃１０及び後身頃２０において、固定式浮体１７、２７を、防弾プレート１６、２６よりも人体側に配置している。これにより、銃から発射された弾丸が防弾プレート１６、２６に当たった際の衝撃を固定式浮体１７、２７で低減することができる。これにより、より確実に着用者の身体を防護することができる。
【００３２】
なお、前身頃１０に設けられた固定式浮体１７は、防弾プレート１６と合わせた比重が、水の比重と同等となるように、材質や寸法等が決定されている。すなわち、防弾プレート１６と固定式浮体１７とを合体させると、水中で浮きも沈みもしない中性浮力を作用させる。別の表現で記載すると、固定式浮体１７は、防弾プレート１６との組み合わせに作用する重力と、この組み合わせに作用する浮力と、を釣り合わせる比重を有している。同様に、後身頃２０に設けられた固定式浮体２７も、防弾プレート２６と合わせた比重が、水の比重と同等となるように、材質や寸法が決定されている。すなわち、防弾プレート２６と固定式浮体２７とを合体させると、水中で浮きも沈みもしない中性浮力を作用させる。これにより、上衣１の着用者が水中に潜入した際、防弾プレート１６、２６の重さを感じさせずに、水中での動作を容易なものとすることができる。
【００３３】
このように、本実施形態に係る上衣１を着用することにより、水中において防弾プレート１６、２６の重量を感じさせずに、水中での動作を容易にすることができるとともに、水中から陸に上がると速やかに内部の水を排出することができるので、陸上での速やかな行動を可能にする。なお、固定式浮体１７、２７に、着用者の体を浮かび上がらせる程度の浮力を作用させた場合、水中での動作に慣れた者にとっては、却って水中での動作がしづらくなる。そこで、本実施形態に係る上衣１においては、固定式浮体１７、２７に、防弾プレート１６、２６の重量を感じさせない程度の浮力を作用させるようにしている。
【００３４】
図５は、本発明の実施形態に係る上衣の図であり、図２中の矢視Ｖ−Ｖからみた図である。また、図６は、本発明の実施形態に係る上衣に設けられた移動式浮体の使用状況を示した図であり、（ａ）は移動式浮体が前身頃の下部に位置した状況を示した図、（ｂ）は移動式浮体が前身頃の上部に位置した状況を示した図である。
【００３５】
図５に示すように、前身頃１０の下面には、メッシュ加工が施された下面布６１が設けられている。これにより、水中から上陸した際に前身頃１０内部にある水が速やかにメッシュ孔（不図示）から外部へ排出される。また、前身頃１０の下面には、防弾プレート１６及び移動式浮体４０を挿入するための開口６１ａが形成されている。この開口６１ａは、外面布５１の端辺と下面布６１の端辺とで形成されている。防弾プレート１６は、外面布５１とプレート収容布５２との間に形成された収容部５１ａ（図３）に下面から挿入され、図示しない面ファスナで閉じられている。
【００３６】
また、外面布５１には、面ファスナのオス面６２が縫い付けられているとともに、下面布６１には、面ファスナのメス面６３が縫い付けられている。このオス面６２とメス面６３とが貼り合わされることにより、内部に挿入された移動式浮体４０の抜け落ちが防止される。なお、前身頃１０の内部に挿入された移動式浮体４０の引上用ストラップ４４は、前身頃１０に形成されたストラップ挿通孔１０ａ（図６）に挿通され、前身頃１０の前方に垂れ下がった状態にある（図１）。一方、移動式浮体４０のＵ字状の引下用ストラップ４５は、貼り合わされた面ファスナのオス面６２及びメス面６３の両サイドから飛び出して、垂れ下がった状態にある（図１）。これにより、着用者は、前身頃１０から飛び出した、引上用ストラップ４４を手に取って引き上げ、あるいは、引下用ストラップ４５を手に取って引き下げることで、移動式浮体４０を前身頃１０内で上下方向に移動させることができる。
【００３７】
図６（ａ）に示すように、移動式浮体４０が前身頃１０の下部に位置する場合、移動式浮体４０は、着用者の重心近傍である腹部に位置する。そのため、着用者が、水泳移動のためにうつ伏せの状態にある場合、着用者の重心に浮力が作用することになる。そのため、着用者は浮力の補助を受けて、容易に島嶼部等に向けて水泳移動を行うことができる。なお、引上用ストラップ４４は、移動式浮体４０が前身頃１０の下部に位置する場合であっても、その一部がストラップ挿通孔１０ａから飛び出るだけの十分な長さが確保されている。
【００３８】
図６（ａ）に示す移動式浮体４０の位置から、引上用ストラップ４４を手に持って引き上げることにより、図６（ｂ）に示すように、移動式浮体４０を前身頃１０の上部に移動させることができる。この時、移動式浮体４０は、着用者の胸の位置あたりに位置する。この時、着用者は、立ち泳ぎ等の立位の姿勢を容易にとることができ、これにより、水中からの射撃を容易に行うことができる。なお、着用者は、引下用ストラップ４５を手に持って引き下げることにより、図６（ａ）に示すように、移動式浮体４０を前身頃１０の下部にまで移動させることができる。なお、引下用ストラップ４５は、移動式浮体４０が前身頃１０の上部に位置する場合であっても、その一部が前身頃１０の下方へ飛び出るだけの十分な長さが確保されている。
【００３９】
このように、着用者が、引上用ストラップ４４及び引下用ストラップ４５を把持して、移動式浮体４０を前身頃１０内で上下移動させることで、水中姿勢に適した浮力を得ることが可能となる。これにより、着用者の水中での種々の動作を容易に行うことが可能となる。
【００４０】
なお、上衣１の着用者は、移動式浮体４０による浮力を必要とする場合に、通気管４２の吹込口４２ａから空気を吹き込み、気室袋４１を膨張させればよい。上述したように、気室袋４１に吹き込まれた空気は、逆止弁４２ｂにより外部への排気が防止される。
【００４１】
また、着用者は、上衣１による浮力が必要なくなった場合には、通気管４２に設けられたキャップ（不図示）を押圧し、逆止弁４２ｂを押し上げることにより、内部に注入された空気を排気可能な状態とすることができる。これにより、着用者が気室袋４１を押圧することで内部の空気を排気することができるとともに、着用者が横臥状態となることで、自然に排気され、気室袋４１は縮小する。そのため、着用者の動作に影響を与えることを抑制することができる。
【００４２】
なお、図３（ａ）に示すように、移動式浮体４０は、基布４３が防弾プレート１６側となるように配されている。上述したように、基布４３は、気室袋４１の膨張によっても大きく変形することがなく、引上用ストラップ４４及び引下用ストラップ４５に作用する引張力に十分に耐え得るだけの、十分な強度（厚み）を有している。そのため、気室袋４１が膨張したとしても、基布４３は大きく変形することなく、これにより、特に、防弾プレート１６の凹凸に基布４３が引っ掛かるのを抑制することができる。すなわち、基布４３は、移動式浮体４０が移動する際の引掛り抑制体として機能する。これにより、移動式浮体４０を前身頃１０内でスムーズに上下動させることが可能となる。
【００４３】
以上説明したように、本発明の実施形態に係る上衣１においては、固定式浮体１７、２７を設け、防弾プレート１６、１７と合体させた際に中性浮力が作用するようにしている。これにより、上衣１の着用者が水中に潜入した際、防弾プレート１６、２６の重さを感じさせずに、水中での動作を容易なものとすることができる。そのため、島嶼部に向けて容易に水泳によって移動することが可能となる。
【００４４】
また、前身頃１０及び後身頃２０の側面及び下面を形成する布体（側面布５３、側面布５８、下面布６１）を、複数の孔を有するメッシュ素材の布体から構成している。これにより、海や河川等から上陸した際に前身頃１０及び後身頃２０内部にある水を速やかに外部へ排出することができる。これにより、上陸後の行動を容易なものとすることができる。
【００４５】
また、前身頃１０及び後身頃２０において、固定式浮体１７、２７を、防弾プレート１６、２６よりも人体側に配置している。これにより、銃から発射された弾丸が防弾プレート１６、２６に当たった際の衝撃を固定式浮体１７、２７で低減することができる。これにより、より確実に着用者の身体を防護することができる。
【００４６】
また、前身頃１０内に移動式浮体４０を設け、着用者が、引上用ストラップ４４及び引下用ストラップ４５を把持して、移動式浮体４０を前身頃１０内で上下移動させることで、水中姿勢に適した浮力を得ることが可能となる。これにより、着用者の水中での種々の動作を容易に行うことが可能となる。そのため、例えば、島嶼部に向けての水泳移動が容易になるとともに、水中での射撃を容易に行うことができる。
【００４７】
また、移動式浮体４０の気室袋４１内に連通する通気管４２を設け、この通気管４２に逆止弁４２ｂを設けることにより、内部の空気の漏出を防止することができる。また、通気管４２に設けられたキャップで逆止弁４２ｂを押圧することで、内部の空気を自然に排出することができる。これにより、必要な時のみに、移動式浮体４０の浮力を得ることができ、必要のないときには縮小させて、着用者の動きを容易なものとすることができる。
【００４８】
また、移動式浮体４０の基布４３を十分な強度（厚み）を有する布体から構成し、基布４３が防弾プレート１６側となるように移動式浮体４０を前身頃１０に挿入することにより、防弾プレート１６の凹凸に基布４３が引っ掛かるのを防止することができる。これにより、移動式浮体４０を前身頃１０内でスムーズに上下動させることが可能となる。
【００４９】
この発明は、上記実施の形態に限定されず、様々な変形及び応用が可能である。上記の実施形態では、前身頃及び後身頃に設けられた固定式浮体は、防弾プレートと合わせた比重が、水の比重と同等となるように、材質や寸法等が決定されていると説明した。ここで、水とは、上衣１が使用される場所を想定して決定することができ、例えば、海水であったり、河川や湖沼等の水であったりしてもよい。
【００５０】
また、固定式浮体の比重を、例えば、防弾プレートを収容した上衣の比重が水の比重と同等となるように、その材質や寸法等を決定していもよい。また、ユーザの求めに応じて、固定式浮体により大きな浮力を作用させるようにしてもよいし、より小さな浮力を作用させるようにしてもよい。いずれの場合であっても、固定式浮体の浮力により、水中での動作を容易なものとすることができる。
【００５１】
また、上記の実施形態では、移動式浮体を、前身頃のみに設けていたが、後身頃にも設けるようにしてもよい。この場合、例えば、海上で漂流した際に、後方から浮力を受けることにより、海面上に容易に浮遊することができる。また、引上用ストラップ及び引下用ストラップを引っ張ることで、移動式浮体の位置を調整して、適切な位置に浮力を作用させることができる。
【００５２】
また、移動式浮体に設けられた基布は、十分な強度（厚み）を有する布体から構成されていると説明したが、他の材質のものから構成していもよい。例えば、合成樹脂製とするなど、プレート収容布との摩擦係数を小さくした種々の摺動材から構成してもよい。
【００５３】
また、上記実施形態では、前身頃及び後身頃に、防弾プレートと、固定式浮体を設けた。しかしながら、前身頃及び後身頃のうち、一方のみに、防弾プレートと、固定式浮体を設けるようにしてもよい。
【００５４】
また、上記実施形態では、防弾プレート、固定式浮体、及び移動式浮体が設けられた上衣について説明したが、これらの構成要素の組み合わせを適宜変更することも可能である。例えば、防弾プレートを有さず、固定式浮体及び移動式浮体を有する上衣を用いてもよい。この場合であっても、移動式浮体を上下移動させることで、水中姿勢に適した浮力を得ることが可能となる。このとき、固定式浮体に、着用者を水面に浮かばせる程度の浮力を作用させるようにして、上衣にいわゆる救命胴衣のような機能を付加することも可能である。
【００５５】
あるいは、移動式浮体のみを前身頃に設けられた上衣であってもよい。この場合であっても、さらなる浮力が必要な時に、移動式浮体を膨らませることができる。また、膨張した移動式浮体を上下移動させることで、水中姿勢に適した浮力を得ることが可能となる。
【００５６】
また、上記実施形態では、前身頃において、固定式浮体と防弾プレートとの間に移動式浮体を設けたが、移動式浮体の位置については他の位置であってもよい。例えば、前身頃の前面に設ける構成であってもよいし、前身頃の後面（着用者と接触する面）に設ける構成であってもよい。この場合、前身頃の前面あるいは後面に、引上用ストラップ及び引下用ストラップを通すためのループ紐を縫い付けておけばよい。
【００５７】
また、上記実施形態では、人が上半身に着用する上衣について説明したが、これは、人が着用する衣服のうち、上半身側の機能に着目して説明したからである。そのため、下半身側の衣服については、特に説明をしなかったが、例えば、上衣と下衣とが一体となった衣服のうち、上衣が上記の特徴を有する衣服も、本発明の範囲に含まれるものとする。
【符号の説明】
【００５８】
１      上衣
１０      前身頃
１０ａ      ストラップ挿通孔
１６、２６      防弾プレート
１７、２７      固定式浮体
４０      移動式浮体
４１      気室袋
４２      通気管
４２ｂ      逆止弁
４３      基布
４４      引上用ストラップ
４５      引下用ストラップ
【図１】
0006532257.tif 000002
【図２】
0006532257.tif 000003
【図３】
0006532257.tif 000004
【図４】
0006532257.tif 000005
【図５】
0006532257.tif 000006
【図６】
0006532257.tif 000007